【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
熱源を収納する密閉された熱源ユニットケースと、
前記熱源ユニットケースの近傍に配置されるブロア型送風機と、
を備え、
前記ブロア型送風機は、吸気口を前記熱源ユニットケースに向け前記熱源ユニットケースと所定の空間を空けて正対配置されることを特徴とする冷却装置。
【請求項２】
前記ブロア型送風機は、吸気口を前記熱源ユニットケースの上面直近として配置されることを特徴とする請求項１に記載した冷却装置。
【請求項３】
前記熱源ユニットケースは軽金属合金製であることを特徴とする請求項１又は請求項２に記載した冷却装置。
【請求項４】
前記熱源ユニットケースは、平板状のユニット底板と、ユニットカバーとを含み、
前記ユニットカバーは、前記ユニット底板に対向する天板部と、該天板部の周囲から垂下する側板部とを有することを特徴とする請求項１乃至請求項３の何れかに記載した冷却装置。
【請求項５】
前記熱源は、第１の光源を含み、
前記熱源ユニットケースは、
前記第１の光源からの光を受けて異なる波長光の蛍光光を発する蛍光体ホイールと、
前記第１の光源の光、前記蛍光光の光軸を揃えて出射する導光光学系と、
を更に収納する
ことを特徴とする請求項１乃至請求項４の何れかに記載した冷却装置。
【請求項６】
前記ブロア型送風機は、前記第１の光源と前記蛍光体ホイールとの中間位置上方に配置され、排気口を前記第１の光源の上方方向としていることを特徴とする請求項５に記載した冷却装置。
【請求項７】
前記第１の光源の光及び前記蛍光光と異なる波長帯域光を発する第２の光源を更に備え、
前記導光光学系は、前記第１の光源の光、前記第２の光源の光、前記蛍光光の３種の光の光軸を揃えて出射し、
前記熱源ユニットケースは、前記第２の光源を更に収納することを特徴とする請求項５又は請求項６に記載した冷却装置。
【請求項８】
前記第１の光源は、青色波長帯域光を出射する半導体発光素子であり、
前記第２の光源は、赤色波長帯域光を出射する半導体発光素子であり、
前記蛍光体ホイールの蛍光体は、緑色波長帯域光を出射する蛍光体であることを特徴とする請求項７に記載した冷却装置。
【請求項９】
請求項１に記載の冷却装置と、
前記熱源が、第１の光源を含み、
前記第１の光源からの出射光が照射されて画像光を形成する表示素子と、
前記表示素子で形成された画像光をスクリーンに投影する投影光学系と、
前記表示素子や前記光源装置の制御を行うプロジェクタ制御手段と、
を備えることを特徴とする画像投影装置。
【手続補正２】
【補正対象書類名】明細書
【補正対象項目名】発明の名称
【補正方法】変更
【補正の内容】
【発明の名称】冷却装置及び画像投影装置
【手続補正３】
【補正対象書類名】明細書
【補正対象項目名】０００１
【補正方法】変更
【補正の内容】
【０００１】
本発明は、冷却装置及びこの冷却装置を含む画像投影装置に関する。
【手続補正４】
【補正対象書類名】明細書
【補正対象項目名】０００７
【補正方法】変更
【補正の内容】
【０００７】
本発明は上述したような従来技術の問題点に鑑みてなされたものであり、光学装置における光路中の各部材の汚れ及び汚れによる各部材の機能の低下を防止し、且つ、効果的に光源装置及びこの光源装置を含む光学装置全体の放熱を行うことのできる冷却装置と、この冷却装置を備える画像投影装置を提供するものである。
【手続補正５】
【補正対象書類名】明細書
【補正対象項目名】０００８
【補正方法】変更
【補正の内容】
【０００８】
本発明に係る冷却装置は、熱源を収納する密閉された熱源ユニットケースと、前記熱源ユニットケースの近傍に配置されるブロア型送風機と、を備え、前記ブロア型送風機は、吸気口を前記熱源ユニットケースに向け前記熱源ユニットケースと所定の空間を空けて正対配置されることを特徴とする。
【手続補正６】
【補正対象書類名】明細書
【補正対象項目名】０００９
【補正方法】変更
【補正の内容】
【０００９】
そして、本発明に係る画像投影装置は、上記本発明に係る冷却装置と、前記熱源が、第１の光源を含み、前記第１の光源からの出射光が照射されて画像光を形成する表示素子と、前記表示素子で形成された画像光をスクリーンに投影する投影光学系と、前記表示素子や前記光源装置の制御を行うプロジェクタ制御手段と、を備えることを特徴とする。
【手続補正７】
【補正対象書類名】明細書
【補正対象項目名】００１０
【補正方法】変更
【補正の内容】
【００１０】
本発明によれば、光学装置における光路中の各部材の汚れ及び汚れによる各部材の機能の低下を防止し、且つ、効果的に光源装置及びこの光源装置を含む光学装置全体の放熱を行うことのできる冷却装置と、この冷却装置を備える画像投影装置とすることができる。
【手続補正８】
【補正対象書類名】明細書
【補正対象項目名】００７７
【補正方法】変更
【補正の内容】
【００７７】
この第１の光源である励起光源を備える熱源としての励起光照射装置３１０や第２の光源である赤色光源を備える熱源としての赤色光源装置３５０、及び、導光光学系３７０や光源側光学装置３８０を備える光源ユニット２５０は、図１１及び図１２に示すように、ホイールカバー３４５を含む熱源ユニットケースとしての光源ユニットケース２５１に収納される。
【手続補正９】
【補正対象書類名】明細書
【補正対象項目名】０１５１
【補正方法】変更
【補正の内容】
【０１５１】
１００  プロジェクタ
１１０  上ケース
１１１  上面板                  １１３  正面板
１１５  背面板                  １１７  左側板
１１９  右側板
１２１  切込み溝                １２２  前傾斜部
１２３  後傾斜部                １２５  投影口
１２７  クッション材
１３１  上部隔壁                １３３  吸気仕切板
１３５  排気口仕切板
１４０  下ケース
１４１  底板                    １４５  脚
１５０  コネクタカバー
１５１  上面部                  １５３  側面部
１５５  下面部                  １５７  開口部
１６１  正面側吸気孔            １６３  側面前部吸気孔
１６５  側面後部吸気孔          １６７  背面側吸気孔
１８１  前部排気孔              １８３  中央排気孔
１８５  後部排気孔
２１１  入出力コネクタ部
２１２  入出力インターフェース  ２１３  画像変換部
２１４  表示エンコーダ          ２１５  ビデオＲＡＭ
２１６  表示駆動部              ２２１  画像圧縮伸長部
２２２  メモリカード            ２２３  キー／インジケータ部
２２５  Ｉｒ受信部              ２２６  Ｉｒ処理部
２３１  制御部                  ２３２  光源制御回路
２３３  冷却ファン駆動制御回路  ２３４  ホイール制御部
２３５  音声処理部              ２３６  スピーカ
２３９  レンズモータ
２４５  コネクタボード          ２４７  スイッチボード
２５０  光源ユニット
２５１  光源ユニットケース      ２５３  ユニット底板
２５５  励起光源底板部          ２５７  主光源底板部
２５９  光学装置底板部
２６１  ユニットカバー
２６３  励起光源天板部          ２６４  励起光源側板部
２６５  主光源天板部            ２６６  主光源側板部
２６７  光学装置天板部          ２６８  光学装置側板部
２７１  スリット
２７５  接続筒
３１０  励起光照射装置
３１３  コリメータレンズ        ３１５  集光レンズ
３１７  拡散板
３２１  素子ホルダー            ３２３  ヒートパイプ
３２５  励起光源用ヒートシンク  ３２７  第１冷却ファン
３３０  主光源部
３３１  蛍光発光装置            ３３３  蛍光体ホイール
３３５  蛍光体領域              ３３７  拡散透過領域
３４１  ホイールモータ          ３４３  ホイール制御回路板
３４５  ホイールカバー
３５０  赤色光源装置
３５３  集光レンズ群
３６１  素子ホルダー            ３６３  ヒートパイプ
３６５  赤色光源用ヒートシンク  ３６７  第２冷却ファン
３７０  導光光学系
３７１  第一ダイクロイックミラー
３７３  第二ダイクロイックミラー
３７５  第三ダイクロイックミラー
３７７  反射ミラー              ３７９  集光レンズ
３８０  光源側光学装置
３８１  集光レンズ              ３８３  ライトトンネル
３８５  集光レンズ              ３８７  光軸変更ミラー
３８９  ＴＩＲプリズム
３９１  ブロア型送風機
３９３  吸気口                  ３９５  排気口
４１０  投影光学系ユニット
４１１  投影ユニットケース      ４１２  ケース前方部
４１３  ケース中央部            ４１４  ケース後方部
４１５  レンズ鏡筒              ４１６  可動レンズ群
４１７  非球面ミラー            ４１９  カバーガラス
４２０  表示素子                ４２３  放熱フィン
４２５  区画リブ                ４２９  調整レバー
４３０  ヒートシンクカバー
４３１  カバー上部板            ４３２  カバー前壁部
４３３  カバー後壁部            ４３５  フィルタ
４３７  下部隔壁                ４３８  通気穴
４４１  主制御回路基板          ４４３  電源制御回路基板
４４５  制御部冷却ファン        ４４７  区画板
４５１  吊り金具                ４５５  取付けネジ